(57)【特許請求の範囲】
【請求項１】
マトリクス状に配置された複数の光電変換素子と、前記光電変換素子からの信号電荷を垂直方向に垂直転送する垂直転送路と、前記垂直転送路により転送された前記信号電荷を水平方向に水平転送する水平転送路とを有する固体撮像素子と、
前記垂直転送路を駆動する垂直転送パルス及び前記水平転送路を駆動する水平転送パルスを供給することで前記固体撮像素子を駆動する駆動手段と、
前記固体撮像素子から出力される撮像信号を増幅する増幅手段と、
撮影モードを設定する設定手段と、
前記設定手段により単写モードが設定された場合に、前記水平転送パルスの供給期間外に前記垂直転送パルスを供給する第１の読み出し方法で前記固体撮像素子を駆動するように前記駆動手段を制御し、前記設定手段により連写モードが設定されるとともに前記増幅手段のゲインアップ量が所定値よりも大きい場合に、前記第１の読み出し方法で前記固体撮像素子を駆動するように前記駆動手段を制御し、前記設定手段により連写モードが設定されるとともに前記増幅手段のゲインアップ量が前記所定値以下である場合に、前記水平転送パルスの供給期間内に前記垂直転送パルスを供給する第２の読み出し方法で前記固体撮像素子を駆動するように前記駆動手段を制御する制御手段と、
を備えたことを特徴とする撮像装置。
【請求項２】
マトリクス状に配置された複数の光電変換素子と、前記光電変換素子からの信号電荷を垂直方向に垂直転送する垂直転送路と、前記垂直転送路により転送された前記信号電荷を水平方向に水平転送する水平転送路とを有する固体撮像素子と、
前記垂直転送路を駆動する垂直転送パルス及び前記水平転送路を駆動する水平転送パルスを供給することで前記固体撮像素子を駆動する駆動手段と、
前記固体撮像素子の温度を測定する温度測定手段と、
電池残量を測定する電池残量測定手段と、
前記電池残量測定手段により測定された電池残量が所定値よりも少ない場合に、前記水平転送パルスの供給期間外に前記垂直転送パルスを供給する第１の読み出し方法で前記固体撮像素子を駆動するように前記駆動手段を制御し、前記電池残量測定手段により測定された電池残量が前記所定値以上であるとともに前記温度測定手段により測定された温度が所定範囲外にある場合に、前記第１の読み出し方法で前記固体撮像素子を駆動するように前記駆動手段を制御し、前記電池残量測定手段により測定された電池残量が前記所定値以上であるとともに前記温度測定手段により測定された温度が前記所定範囲内にある場合に、前記水平転送パルスの供給期間内に前記垂直転送パルスを供給する第２の読み出し方法で前記固体撮像素子を駆動するように前記駆動手段を制御する制御手段と、
を備えたことを特徴とする撮像装置。
【発明の詳細な説明】
【技術分野】
【０００１】
本発明は、固体撮像素子から画素信号を読み出す撮像装置に関する。
【背景技術】
【０００２】
近年、ＣＣＤ等の撮像素子を用いて静止画像あるいは動画像を得るデジタルカメラが数多く開発されている。このような中でＣＣＤをはじめとする固体撮像素子では、年々多画素化が進み、そのため１枚の静止画を読み出すのに要する時間が増加する傾向にある。
【０００３】
読み出しに要する時間の増加は連写速度の低下に直結する問題である。また、暗電流成分は時間とともに増加するので、読み出しに要する時間の増加とともに暗電流も増加し、画像のＳＮも悪化傾向となる。そのため、読み出し時間の短縮はデジタルカメラに求められる優先度の高い特性のひとつとなっている。
【０００４】
読み出し時間を短縮するための施策としては、水平転送クロックの高速化や多線読み出しといったものが数多く提案されている。しかしながら、前者は高速クロックを取り扱うことにより不要輻射等の懸念事項が増大し、さらに、高速クロック化は水平転送自体が困難となる方向であるので、転送不良等の不具合も起き易い。また、後者については、構造が複雑化するために、撮像素子自体が高価となる上、複数の異なる転送路のそれぞれで信号レベルのオフセットやノイズの差が存在し、画質的に悪影響を及ぼすおそれがある。このため、実現へのハードルが高い。従って、理想的には両施策以外の方法で読み出し時間の短縮を実現させることが望まれる。そこで、新たに読み出し時間を短縮するための方法が、例えば、特許文献１に示されている。
【０００５】
図７は従来の読み出し時間短縮の施策が行われていない信号電荷の読み出し方法を示すタイミングチャートである。図中、Ｈ１，Ｈ２は水平転送パルスを表している。Ｖ１〜Ｖ４は４相の垂直転送パルスを表している。この読み出し方法では、水平転送を行っていない、いわゆる水平ブランキング期間に、４相の垂直転送パルスによって信号電荷の垂直ラインシフトを行っている。
【０００６】
図８は読み出し時間短縮の施策を行った信号電荷の読み出し方法を示すタイミングチャートである。図中、Ｈ１，Ｈ２は水平転送パルスを表している。Ｖ１〜Ｖ４は４相の垂直転送パルスを表している。ＢＳはＶＣＣＤ（垂直転送路）の最終段に位置し、ＨＣＣＤ（水平転送路）手前で信号電荷を蓄積するバッファストレージセル（ＢＳセル）に印加される転送パルスを表している。ＴＧはＢＳセルからＨＣＣＤへ信号電荷を転送するトランスファーゲートに印加される転送パルスを表している。この読み出し方法では、水平転送を行っている期間内に４相の垂直転送パルスを重畳する形で印加し、信号電荷の垂直ラインシフトを行っている。その上で、水平転送を行っていない、いわゆる水平ブランキング期間に、垂直転送路最終段から水平転送路への転送のみを行っている。
【０００７】
この読み出し方法を用いることにより、水平ブランキング期間を大幅に短縮することができ、１水平期間（１ＨＤ）ひいては１画面分の画素を読み出す時間も大幅に短縮されることとなり、連写速度を大幅に向上させることができる。
【０００８】
さらに、特許文献１では、Ｖドライバを工夫し、垂直転送パルスの立ち上がり及び立ち下がりの傾きを変化させ、水平転送に垂直転送を重畳した場合のクロストークノイズを低減するという施策が提案されている。
【特許文献１】特開２００５−２６９０６０号公報
【発明の開示】
【発明が解決しようとする課題】
【０００９】
しかしながら、特許文献１の撮像装置では、読み出しの高速化を実現できることとなるが、水平転送と垂直転送が重畳されることによるクロストークノイズの影響を完全に避けることはできない。
【００１０】
また、垂直転送パルスによって、水平転送期間中に撮像素子の基板電圧がゆすられることになり、信号出力に揺らぎが生じるという事例も観測されている。
【００１１】
従って、特許文献１の撮像素子のように、常時この動作を行わせていると、各種ノイズが画面上で顕著となり、実用上問題となる可能性がある。
【００１２】
そこで、本発明は、上記課題を鑑みてなされたものであり、一般的な固体撮像素子の構造を大きく変更することなく、連写速度向上と画質のバランスのとれた撮像装置を提供することを目的とする。
【課題を解決するための手段】
【００１３】
上記目的を達成するために、本発明の撮像装置は、マトリクス状に配置された複数の光電変換素子と、前記光電変換素子からの信号電荷を垂直方向に垂直転送する垂直転送路と、前記垂直転送路により転送された前記信号電荷を水平方向に水平転送する水平転送路とを有する固体撮像素子と、前記垂直転送路を駆動する垂直転送パルス及び前記水平転送路を駆動する水平転送パルスを供給することで前記固体撮像素子を駆動する駆動手段と、前記固体撮像素子から出力される撮像信号を増幅する増幅手段と、撮影モードを設定する設定手段と、
前記設定手段により単写モードが設定された場合に、前記水平転送パルスの供給期間外に前記垂直転送パルスを供給する第１の読み出し方法で前記固体撮像素子を駆動するように前記駆動手段を制御し、前記設定手段により連写モードが設定されるとともに前記増幅手段のゲインアップ量が所定値よりも大きい場合に、前記第１の読み出し方法で前記固体撮像素子を駆動するように前記駆動手段を制御し、前記設定手段により連写モードが設定されるとともに前記増幅手段のゲインアップ量が前記所定値以下である場合に、前記水平転送パルスの供給期間内に前記垂直転送パルスを供給する第２の読み出し方法で前記固体撮像素子を駆動するように前記駆動手段を制御する制御手段と、を備えたことを特徴とする。
また、本発明の撮像装置は、マトリクス状に配置された複数の光電変換素子と、前記光電変換素子からの信号電荷を垂直方向に垂直転送する垂直転送路と、前記垂直転送路により転送された前記信号電荷を水平方向に水平転送する水平転送路とを有する固体撮像素子と、前記垂直転送路を駆動する垂直転送パルス及び前記水平転送路を駆動する水平転送パルスを供給することで前記固体撮像素子を駆動する駆動手段と、前記固体撮像素子の温度を測定する温度測定手段と、電池残量を測定する電池残量測定手段と、前記電池残量測定手段により測定された電池残量が所定値よりも少ない場合に、前記水平転送パルスの供給期間外に前記垂直転送パルスを供給する第１の読み出し方法で前記固体撮像素子を駆動するように前記駆動手段を制御し、前記電池残量測定手段により測定された電池残量が前記所定値以上であるとともに前記温度測定手段により測定された温度が所定範囲外にある場合に、前記第１の読み出し方法で前記固体撮像素子を駆動するように前記駆動手段を制御し、前記電池残量測定手段により測定された電池残量が前記所定値以上であるとともに前記温度測定手段により測定された温度が前記所定範囲内にある場合に、前記水平転送パルスの供給期間内に前記垂直転送パルスを供給する第２の読み出し方法で前記固体撮像素子を駆動するように前記駆動手段を制御する制御手段と、を備えたことを特徴とする。
【発明の効果】
【００１５】
本発明によれば、クロストークノイズ等の弊害を最小限に抑えた上で、連写速度の向上を実現することができる。そして、一般的な固体撮像素子の構造を大きく変更することなく、連写速度向上と画質のバランスのとれた撮像装置を提供することができる。
【発明を実施するための最良の形態】
【００２２】
本発明の撮像装置の実施の形態について図面を参照しながら説明する。本実施形態の撮像装置は、静止画像および動画像を記録可能なデジタルカメラに適用される。
【００２３】
［第１の実施形態］
図１は第１の実施形態に係るデジタルカメラの概略的構成を示すブロック図である。デジタルカメラは、光学系１１、メカシャッタ１３、ＣＣＤ１２、イメージセンサ駆動装置１４、プリプロセス回路１５、デジタルプロセス回路１６、メモリ１７、ＬＣＤ１８、画像変換回路１９およびメモリカード２０を有する。また、デジタルカメラは、カメラ制御部２１、操作部２２、温度センサ部２３および電池残量測定部２４を有する。
【００２４】
光学系１１は、レンズなどからなり、被写体像をＣＣＤ１２の受光面に結像する。ＣＣＤ１２は、その受光面に結像された被写体の光信号を光電変換して電気信号を発生する固体撮像素子である。また、光学系１１とＣＣＤ１２との間には、メカシャッタ１３が配置されており、このメカシャッタ１３を閉じることでＣＣＤ１２へ入射する光を遮断することができる。
【００２５】
イメージセンサ駆動装置１４は、ＣＣＤ駆動のタイミングパルス（ＣＤＤ駆動パルス）を発生し、ＣＣＤ１２を駆動する。イメージセンサ駆動装置１４によって駆動されたＣＣＤ１２の出力（撮像信号）は、サンプルホールド（Ｓ／Ｈ）、ゲインアンプ及びアナログデジタル変換（Ａ／Ｄ）を含むプリプロセス回路１５によってデジタル化され、デジタルプロセス回路１６に取り込まれる。
【００２６】
デジタルプロセス回路１６は、ガンマ処理、色信号処理などの各種デジタル信号処理を行う。この際、デジタルプロセス回路１６は、メモリ１７との間で画像信号の書き込み／読み出し処理を行っている。また、デジタルプロセス回路１６の出力はＬＣＤディスプレイ１８に表示することも可能となっている。デジタルプロセス回路１６で画像処理が施された画像データは、画像変換回路１９を介して圧縮され、メモリカード２０に書き込まれて記録される。
【００２７】
画像変換回路１９は、デジタルプロセス回路１６からの画像データを圧縮してメモリカード２０へ出力する機能、およびメモリカード２０より読み出した画像データを伸長してデジタルプロセス回路１６へ出力する機能を有する。
【００２８】
また、光学系１１、メカシャッタ１３、イメージセンサ駆動装置１４、プリプロセス回路１５、デジタルプロセス回路１６、画像変換回路１９およびメモリカード２０は、それぞれカメラ制御部２１によって制御される。このカメラ制御部２１には、レリーズや出力画像サイズ切り替え、連写モード／単写モード切り替えなどの機能を有する操作部２２が接続されている。
【００２９】
温度センサ部２３（温度測定手段）は、ＣＣＤ１２の近傍に配置され、その周囲温度の値はカメラ制御部２１に入力される。電池残量測定部２４は、電池残量を測定し、測定された残量値はカメラ制御部２１に入力される。
【００３０】
また、カメラ制御部２１は、後述する読み出し方法（モード）切り替え機能（読み出し方法切替手段）を内蔵しており、選択された読み出し方法に対応したＣＣＤ駆動パルスを出力するように、イメージセンサ駆動装置１４を制御する。
【００３１】
つぎに、本実施形態のデジタルカメラに用いられる固体撮像素子として、ＣＣＤ１２であるインターライン型ＣＣＤの構成について説明する。インターライン型ＣＣＤでは、複数の画素がマトリクス状に配列されている。図２はインターライン型ＣＣＤとしてのＣＣＤ１２の概略的構成を示した図である。ＣＣＤ１２は、ＰＤ（ホトダイオード）１、ＶＣＣＤ（垂直転送路）２、ＨＣＣＤ（水平転送路）３、出力アンプ４、バッファストレージセル（ＢＳセル）５およびトランスファーゲート（ＴＧ）６から主に構成されている。
【００３２】
ＰＤ（ホトダイオード）１は被写体からの光を受けて光電変換を行う光電変換素子である。ＶＣＣＤ（垂直転送路）２は、ＰＤ１の信号電荷を垂直方向に転送するための複数の垂直シフトレジスタであり、通常４相駆動構成となっている。ＨＣＣＤ（水平転送路）３は、ＶＣＣＤ２と交差し、信号電荷を１ラインごとに水平方向に転送する水平シフトレジスタである。出力アンプ４はＨＣＣＤ３から転送されてきた１画素ごとの信号電荷を電圧信号に変換する。バッファストレージセル（ＢＳセル）５は、ＶＣＣＤ２からの１ライン分の信号電荷を、ＨＣＣＤ３へ転送するまでの間に一旦蓄積しておく。トランスファーゲート（ＴＧ）６は、バッファストレージセル５とＨＣＣＤ３の間に設けられている。前述したＨＣＣＤ３はＶＣＣＤ２の片端に設けられ、ＶＣＣＤ２の信号電荷を１行あるいはｎ（正の整数）行の信号電荷として転送する。
【００３３】
つぎに、上記構成を有するデジタルカメラにおける信号読み出し動作を示す。まず、本実施形態のデジタルカメラにおける、第１の読み出し方法（第１の読み出しモード）を、図３を用いて説明する。図３は信号電荷の水平転送期間外に垂直転送を行う第１の読み出し方法を示すタイミングチャートである。ＰＤ１の電荷は、電荷読み出しパルスの印加された列において、ＶＣＣＤ２に読み出される（図示せず）。
【００３４】
１水平期間において、ｔ１〜ｔ２の区間では、バッファストレージセル５に蓄積された信号電荷がトランスファーゲート６を通してＨＣＣＤ３へ転送される。その後、転送電極Ｖ１〜Ｖ４に加えられる４相駆動パルスφＶ１〜φＶ４により信号電荷は、ＨＣＣＤ３の方向へ順に転送（垂直ラインシフト）され、最もＨＣＣＤ３に近いラインの信号は、バッファストレージセル５に蓄積される。
【００３５】
続いて、ｔ２〜ｔ３（＝ｔ１）の区間では、ＨＣＣＤ３は、ＶＣＣＤ２から転送されてきた水平１行分の信号電荷を、それぞれ、転送電極Ｈ１及びＨ２に加えられる２相駆動パルスφＨ１及びφＨ２により順次出力アンプ４に転送する。この転送されてきた信号電荷は出力アンプ４において電圧に変換され、ＣＣＤ信号として出力されることとなる。
【００３６】
この１水平期間の駆動を、信号を転送するライン数だけ繰り返すことで、１画面の画像を取得することができる。
【００３７】
つぎに、本実施形態のデジタルカメラにおける、第２の読み出し方法（第２の読み出しモード）について図４を用いて説明する。図４は信号電荷の水平転送期間内に垂直転送を行う第２の読み出し方法を示すタイミングチャートである。ＰＤ１の電荷は、電荷読み出しパルスの印加された列において、ＶＣＣＤ２に読み出される（図示せず）。
【００３８】
１水平期間において、ｔ１〜ｔ２の区間では、バッファストレージセル５に蓄積された信号電荷がトランスファーゲート６を通してＨＣＣＤ３へ転送される。
【００３９】
ｔ２〜ｔ３（＝ｔ１）の区間では、ＨＣＣＤ３は、ＶＣＣＤ２から転送されてきた水平１行分の信号電荷を、それぞれ、転送電極Ｈ１及びＨ２に加えられる２相駆動パルスφＨ１及びφＨ２により順次出力アンプ４に転送する。この転送されてきた信号電荷は出力アンプ４において電圧に変換され、ＣＣＤ信号として出力されることとなる。
【００４０】
また、同じくｔ２〜ｔ３（＝ｔ１）の区間に、転送電極Ｖ１〜Ｖ４に加えられる４相駆動パルスφＶ１〜φＶ４により信号電荷はＨＣＣＤ３の方向へ順に転送（垂直ラインシフト）され、最もＨＣＣＤ３に近いラインの信号はバッファストレージセル５に蓄積される。この１水平期間の駆動を、信号を転送するライン数だけ繰り返すことで、１画面の画像を取得することができる。
【００４１】
第２の読み出し方法が第１の読み出し方法と異なるのは、４相の垂直転送パルスを印加するタイミングであり、これを水平転送期間内に印加することで読み出し時間を大幅に短縮することを可能としている。したがって、第２の読み出し方法は、高速読み出しによる連写速度向上というメリットをもつ。
【００４２】
一方、第２の読み出し方法のデメリットとしては、水平転送と垂直転送が同時に重畳して行われることによるクロストークノイズやピーク電流の増加が挙げられる。また、垂直転送パルスによって水平転送期間中に撮像素子の基板電圧がゆすられることよる信号出力の揺らぎ等が挙げられる。
【００４３】
これらの弊害のうち、ノイズや信号出力の揺らぎは、ＣＣＤ１２の出力に乗っているため、プリプロセス回路１５のゲインアンプ（増幅手段）でのゲインアップ量に依存して増減することが知られている。また、基板電圧がゆすられることによる信号出力の揺らぎについては、ＣＣＤ１２の温度によって揺らぎのレベルや形態が異なることもわかっている。
【００４４】
つぎに、本実施形態のデジタルカメラにおける、第１の読み出し方法切り替え判断を示す。図５は第１の読み出し方法切り替え判断処理手順を示すフローチャートである。まず、カメラ制御部２１は、操作部２２からの信号を受け、撮影モードが単写モードであるか否かを判別する（Ｓ１０１）。撮影モードが単写モードであった場合（Ｓ１０１のＹＥＳ）、カメラ制御部２１は、読み出し方法切り替え機能により第１の読み出し方法（第１の読み出しモード）を実行する（Ｓ１０２）。これは、単写モードの際、高速での読み出しは必要なく、第２の読み出し方法による各種弊害を回避するための判断による。この後、カメラ制御部２１は、本処理を終了する。
【００４５】
一方、撮影モードが連写モードであった場合（Ｓ１０１のＮＯ）、引き続き、カメラ制御部２１は、プリプロセス回路１５のゲインアンプにおけるゲインアップ量の設定値を確認し、これと閾値Ｇ１とを比較する（Ｓ１０３）。ゲインアップ量が閾値Ｇ１よりも大きかった場合（Ｓ１０３のＹＥＳ）、カメラ制御部２１は、読み出し方法切り替え機能により第１の読み出し方法を実行する（Ｓ１０４）。これは、ゲインアップ量が大きい場合、第２の読み出し方法の弊害であるクロストークノイズや信号の揺らぎが顕著となり、画質が劣化してしまうことを回避するための判断による。この後、カメラ制御部２１は、本処理を終了する。
【００４６】
一方、ゲインアップ量が閾値Ｇ１以下（閾値以下）であった場合（Ｓ１０３のＮＯ）、カメラ制御部２１は、読み出し方法切り替え機能により第２の読み出し方法（第２の読み出しモード）を実行する（Ｓ１０５）。これは、連写モードでかつゲインアップ量が小さく第２の読み出し方法の弊害が許容できる場合、高速で読み出すモードを採用することによって連写速度向上を実現するための判断による。この後、カメラ制御部２１は、本処理を終了する。
【００４７】
第１の実施形態の撮像装置によれば、基本的に連写モードで高速な読み出しを行うことで連写速度の向上を実現することができ、かつ、高ゲイン時や単写モードの時には第１の読み出し方法を行うことで画質的な品位を落とすことを避けることができる。
【００４８】
［第２の実施形態］
つぎに、第２の実施形態のデジタルカメラにおける、第２の読み出し方法切り替え判断を示す。第２の実施形態におけるデジタルカメラの構成は前記第１の実施形態と同様であるので、同一の符号を用いることによりその説明を省略する。
【００４９】
図６は第２の実施形態における第２の読み出し方法切り替え判断処理手順を示すフローチャートである。まず、カメラ制御部２１は、電池残量測定部２４で測定された残量値を読み取り、これと閾値Ｂ１（設定値）とを比較する（Ｓ２０１）。残量値が閾値Ｂ１よりも少なかった場合（Ｓ２０１のＹＥＳ）、カメラ制御部２１は、読み出し方法切り替え機能により第１の読み出し方法を実行する（Ｓ２０２）。これは、電池残量が少ない場合、電力消費の大きい第２の読み出し方法を実行すると、撮影可能枚数が減ってしまい、ユーザが不利益を被る可能性が出てくることを回避するための判断による。この後、カメラ制御部２１は、本処理を終了する。
【００５０】
一方、残量値が閾値Ｂ１以上（設定値以上）である場合（Ｓ２０１のＮＯ）、カメラ制御部２１は、温度センサ部２３の温度を読み取り、この温度と、閾値Ｔ１およびこの閾値Ｔ１よりも高い温度である閾値Ｔ２とを比較する（Ｓ２０３）。温度が閾値Ｔ１よりも低いか、あるいは閾値Ｔ２よりも高い場合、つまり温度が所定の範囲内にない場合（Ｓ２０３のＹＥＳ）、カメラ制御部２１は、読み出し方法切り替え機能により第１の読み出し方法を実行する（Ｓ２０４）。これは、温度が著しく低い場合や高い場合、第２の読み出し方法の弊害である信号の揺らぎが目立つため、画質が劣化してしまうことを回避するための判断による。この後、カメラ制御部２１は、本処理を終了する。
【００５１】
一方、温度が閾値Ｔ１と閾値Ｔ２の間にある場合、つまり温度が所定の範囲内にある場合（Ｓ２０３のＮＯ）、カメラ制御部２１は、読み出し方法切り替え機能により第２の読み出し方法を実行する（Ｓ２０５）。これは、第２の読み出し方法の弊害が許容できる場合、高速で読み出すモードを採用することによって連写速度向上を実現するための判断による。この後、カメラ制御部２１は、本処理を終了する。
【００５２】
第２の実施形態の撮像装置によれば、電池残量が少ない場合、電力消費の大きい第２の読み出し方法を実行すると、撮影可能枚数が減ってしまい、ユーザが不利益を被る可能性が出てくることを回避することができる。また、温度が著しく低い場合や高い場合、第２の読み出し方法の弊害である信号の揺らぎが目立つため、画質が劣化してしまうことを回避することができる。
【００５３】
なお、図６のＳ２０５の処理に、さらに、前述した図５の第１の読み出し方法切り替え判断と同様の判断を行う処理手順を付加してもよい。即ち、撮影モードが連写モードであり、プリプロセス回路１５のゲインアンプのゲインアップ量が閾値Ｇ１以下であり、電池残量が閾値Ｂ１以上であり、かつ温度が所定の範囲内（Ｔ１≦温度≦Ｔ２）にある場合、第２の読み出し方法に切り替えてもよい。そして、それ以外の場合、第１の読み出し方法に切り替えるようにしてもよい。
【００５４】
このように、前記第１、第２の実施形態の撮像装置では、連写モード／単写モード、ゲインアップ量、温度、電池残量といったパラメータに応じて、垂直・水平転送重畳駆動の有無を選択することが可能である。この選択によって、クロストークノイズ等の弊害を最低限に抑えた上で、最適な条件下で連写速度向上を実現することができる。従って、一般的に用いられている固体撮像素子の構造を大きく変更することなく、安価で、連写速度向上と画質のバランスのとれた撮像装置を提供することができる。
【００５５】
なお、本発明は、上記実施形態の構成に限られるものではなく、特許請求の範囲で示した機能、または本実施形態の構成が持つ機能が達成できる構成であればどのようなものであっても適用可能である。
【図面の簡単な説明】
【００５６】
【図１】第１の実施形態に係るデジタルカメラの概略的構成を示すブロック図である。
【図２】インターライン型ＣＣＤとしてのＣＣＤ１２の概略的構成を示した図である。
【図３】信号電荷の水平転送期間外に垂直転送を行う第１の読み出し方法を示すタイミングチャートである。
【図４】信号電荷の水平転送期間内に垂直転送を行う第２の読み出し方法を示すタイミングチャートである。
【図５】第１の読み出し方法切り替え判断処理手順を示すフローチャートである。
【図６】第２の実施形態における第２の読み出し方法切り替え判断処理手順を示すフローチャートである。
【図７】従来の読み出し時間短縮の施策が行われていない信号電荷の読み出し方法を示すタイミングチャートである。
【図８】読み出し時間短縮の施策を行った信号電荷の読み出し方法を示すタイミングチャートである。
【符号の説明】
【００５７】
１  ＰＤ（ホトダイオード）
２  ＶＣＣＤ（垂直転送路）
３  ＨＣＣＤ（水平転送路）
４  出力アンプ
５  ＢＳセル（バッファストレージセル）
６  ＴＧ（トランスファーゲート）
１２  ＣＣＤ
１４  イメージセンサ駆動装置
１５  プリプロセス回路
２１  カメラ制御部
２３  温度センサ部
２４  電池残量測定部
【図１】
0004991415.tif 000002
【図２】
0004991415.tif 000003
【図３】
0004991415.tif 000004
【図４】
0004991415.tif 000005
【図５】
0004991415.tif 000006
【図６】
0004991415.tif 000007
【図７】
0004991415.tif 000008
【図８】
0004991415.tif 000009